(57)【要約】【課題】複数の棒状光源ランプを有し、これを内部に反射体を有する反射板内に挿入して使用する照明器具において、棒状光源ランプと反射体との位置関係を最適化し、その照明効率を向上させること。【解決手段】光を反射させるために内面を反射面とした笠状の反射板２と、反射板２の天板部２ａ近傍に基端部を固定して反射板２内に挿入される複数の棒状光源ランプ１とを有する照明器具１０において、反射板２の天板部２ａの中央付近に、外面を反射面とした反射体３を反射板２の開口側に向けて突出するように配置し、反射体３の突出長さｄ１が、反射板２内の棒状光源ランプの突出長さｄ２の１／３〜３／４となるようにした。【選択図】図１
2008171685.tif 000002
【特許請求の範囲】
【請求項１】
光を反射させるために内面を反射面とした笠状の反射板と、反射板の天板部近傍に基端部を固定して反射板内に挿入される複数の棒状光源ランプとを有する照明器具であって、
前記反射板の天板部の中央付近に、外面を反射面とした反射体を反射板の開口側に向けて突出するように配置し、
前記反射体の突出長さが、前記反射板内の棒状光源ランプの突出長さの１／３〜３／４である照明器具。
【請求項２】
前記反射体の反射面と前記棒状光源ランプの外周面との距離が８ｍｍ以上である請求項１に記載の照明器具。
【請求項３】
前記棒状光源ランプが角柱状の形状を有し、前記棒状光源ランプの外周面と、これに対向する前記反射体の反射面とが非平行である請求項１又は２に記載の照明器具。
【請求項４】
前記反射体の反射面が３面以上ある請求項１〜３のいずれかに記載の照明器具。
【発明の詳細な説明】
【技術分野】
【０００１】
本発明は、建屋の天井等に設置されて下方の床面を照明するダウンライトに好適な照明器具に関する。
【背景技術】
【０００２】
光源ランプと光源ランプの光を反射させる反射板とを有する照明器具において、反射板は、照明効率を左右する重要な構成部材である。
【０００３】
本願発明者は、先に特許文献１において、全体形状を笠状の多面体として、かつ、その内面の反射面をそれぞれ傾斜角度の異なる上下２段の傾斜部から形成した反射板を提案した。また、特許文献２において、傾斜部を上下３段以上にすることを提案した。この複数段構造の反射板によって、上下の傾斜部の傾斜角度を調整して光を反射させることにより、広範囲を均一に照明することが可能となった。
【０００４】
しかし、照度を向上させるために複数の棒状光源ランプ（蛍光管ランプ）を使用する場合、棒状光源ランプどうしの間で光が干渉して打ち消し合うため、棒状光源ランプからの光が照明として有効利用されず、照度が不足するとともに、照明領域の平面形状がひょうたん状になるという問題があった。
【０００５】
これに対して、本願発明者は特許文献３において、複数の棒状光源ランプを使用する場合には、反射板の天板部の中央付近に、外面を反射面とした反射体を反射板の開口側に向けて突出するように配置することが有効であることを開示した。
【０００６】
しかし、特許文献３に開示されたものでは、棒状光源ランプと反射体との位置関係が最適化されておらず、照明効率には改善の余地があった。
【特許文献１】特開２００３−１５１３１０号公報
【特許文献２】特開２００５−３４６９６８号公報
【特許文献３】特開２００６−５９７０７号公報
【発明の開示】
【発明が解決しようとする課題】
【０００７】
本発明が解決しようとする課題は、複数の棒状光源ランプを有し、これを内部に反射体を有する反射板内に挿入して使用する照明器具において、棒状光源ランプと反射体との位置関係を最適化し、その照明効率を向上させることにある。
【課題を解決するための手段】
【０００８】
本願発明者が、鋭意検討を重ねた結果、上記のような照明器具の照明効率には、棒状光源ランプと反射体の突出長さが大きく影響を及ぼすことがわかった。そして、反射体の突出長さを、棒状光源ランプの突出長さの１／３〜３／４とすることによって、照明効率がさらに向上することがわかり、本発明を完成させるに至った。
【０００９】
すなわち、本発明の照明器具は、光を反射させるために内面を反射面とした笠状の反射板と、反射板の天板部近傍に基端部を固定して反射板内に挿入される複数の棒状光源ランプとを有する照明器具であって、前記反射板の天板部の中央付近に、外面を反射面とした反射体を反射板の開口側に向けて突出するように配置し、前記反射体の突出長さが、前記反射板内の棒状光源ランプの突出長さの１／３〜３／４であることを特徴とするものである。
【００１０】
このように、反射体の突出長さを棒状光源ランプの突出長さの１／３〜３／４とすることによって、照明効率が向上する。逆に、反射体の突出長さが棒状光源ランプの突出長さの１／３未満では棒状光源ランプからの光が反射体で十分に反射されず、照明効率が低下する。また、反射体の突出長さが棒状光源ランプの突出長さの３／４を超えると、反射体の存在がかえって反射板内での光の反射の邪魔になり、照明すべき床面等に影ができることがある。
【００１１】
本発明において、反射体の反射面と棒状光源ランプの外周面との距離は８ｍｍ以上とすることが好ましい。より好ましくは、８〜１０ｍｍとする。前記距離が８ｍｍ未満になると、反射体の反射面による反射効率が低下する。
【００１２】
また、棒状光源ランプが角柱状の形状を有する場合、その棒状光源ランプの外周面と、これに対向する反射体の反射面とが非平行となるように配置することが好ましい。これによって、棒状光源ランプからの光が当該棒状光源ランプの位置とは異なる方向に反射されるので、その反射光を照明として効率的に利用することができ、照明効率が向上する。
【００１３】
さらに、反射体の反射面の数は３面以上とすることが好ましい。反射体の反射面の数を３面以上とすることで、棒状光源ランプからの光を多方向に反射することができ、照明の均一性が向上する。
【発明の効果】
【００１４】
本発明によれば、複数の棒状光源ランプからの光が、反射板の天板部の中央付近に配置した反射体により効率的に反射されるので、照明器具の照明効率を向上させることができる。したがって、従来よりも少ない棒状光源ランプの数で、従来と同じ照度を得ることができるようになり、大幅に電力使用量を削減できる。また、発熱量が減少して建屋内の空調効率を向上させることができる。
【発明を実施するための最良の形態】
【００１５】
以下、本発明をダウンライトに適用した添付図に示す実施例に基づいて具体的に説明する。
【実施例１】
【００１６】
図１は、本発明に係るダウンライトの第１実施例を示す断面図、図２は、図１のダウンライトに使用した反射板を示す斜視図である。
【００１７】
図１に示すダウンライト１０は、蛍光管ランプからなる２本の棒状光源ランプ１と、棒状光源ランプ１の光を反射させるための反射板２及び反射体３と、反射板２を固定する本体部４を備える。
【００１８】
２本の棒状光源ランプ１は、その上端部（基端部）が反射板２の天板部２ａ近傍に固定され、発光部分は反射板２内に位置している。また、２本の棒状光源ランプ１は、図１に示すように、互いに平行に配置されている。
【００１９】
反射板２は、底面形状（横断面形状）が正１８角形の笠状の１８面体からなり、その内面の反射面は、それぞれ傾斜角度の異なる第１傾斜部２ｂ、第２傾斜部２ｃ、第３傾斜部２ｄ及び第４傾斜部２ｅからなる上下４段の傾斜部から形成されている。反射板２の大きさや各傾斜部２ｂ〜２ｅの傾斜角度及び長さは、ダウンライト１０を設置する場所の天井高さや照明範囲などの条件に応じて適宜設定される。
【００２０】
反射板２の素材はアルミニウムであり、その内面の反射面はアルミニウムの表面にチタン・シリコンをコーティングすることによって鏡面状としている。反射板の素材としてはアルミニウムに限られず、例えば金属板を使用して内面を鏡面加工してもよい。なお、図２中の符号２ｆは、２本の棒状光源ランプを挿通するための切欠きである。
【００２１】
反射体３は、２本の棒状光源ランプ１に挟まれた反射板２の天板部２ａの中央付近内面から下方（反射板の開口側）に向けて突出するように設けられている。この反射体３は４角柱状をなし、その４つの外側面が反射面３ａとなっている。
【００２２】
本体部４は、その下端部外周に外方に突出したリング状の支持部材４ａを有しており、この支持部材４ａを天井Ｔの裏面に載置することにより、天井Ｔの裏面にダウンライト１０全体が懸架される。
【００２３】
以上の構成において、本発明では、反射体３の突出長さｄ１が反射板２内の棒状光源ランプ１の突出長さｄ２の１／３〜３／４となるように設定する。そして好ましくは、反射体３の反射面３ａと棒状光源ランプ１の外周面との距離（最短距離）ｄ３が８ｍｍ以上となるように設定する。
【００２４】
ここで、図３には、棒状光源ランプ１と反射体３の好ましい配置関係を示す。同図に示すように、棒状光源ランプ１が角柱状の形状を有する場合、その棒状光源ランプ１の外周面と、これに対向する反射体３の反射面３ａとが非平行となるように配置することが好ましい。これによって、棒状光源ランプ１からの光が当該棒状光源ランプ１の位置とは異なる方向に反射されるので、その反射光を照明として効率的に利用することができ、照明効率が向上する。ここで、棒状光源ランプ１が角柱状の形状を有するとは、完全な角柱ではなくとも棒状光源ランプ１の外形（輪郭）がほぼ角柱である場合も含む概念である。
【００２５】
以上のダウンライト１０によれば、２本の棒状光源ランプ１から反射板２の中心方向に発する光は、干渉することなく、反射体３の反射面３ａによって反射され、さらに、その反射光が反射板２内面の反射面で複数回反射されて床面を照明する。また、２本の棒状光源ランプ１から反射板２の外周方向に発する光も反射板２内面の反射面で複数回反射して床面を照明する。このように、棒状光源ランプ１から発する光の全てを照明用として有効に利用でき、照明効率が向上する。
【実施例２】
【００２６】
図４は、本発明に係るダウンライトの第２実施例を示す断面図、図５は、図４のダウンライトに使用した反射板を示す斜視図である。
【００２７】
図４に示すダウンライト１０では、３本の棒状光源ランプ１を反射体２の切欠き２ｆから反射体２内に挿入する。
【００２８】
３本の棒状光源ランプ１は、その上端部（基端部）が反射板２の天板部２ａ近傍に固定され、発光部分は反射板２内に位置している。また、３本の棒状光源ランプ１は、図４に示すように、下方に向かうにしたがって相互の間隔が狭くなるように配置されている。
【００２９】
反射板２は、底面形状（横断面形状）が正１８角形の笠状の１８面体からなり、その内面の反射面は、それぞれ傾斜角度の異なる第１傾斜部２ｂ、第２傾斜部２ｃ及び第３傾斜部２ｄからなる上下３段の傾斜部から形成されている。反射板２の大きさや各傾斜部２ｂ〜２ｄの傾斜角度及び長さは、ダウンライト１０を設置する場所の天井高さや照明範囲などの条件に応じて適宜設定される。なお、反射板２の素材等については実施例１で説明したとおりである。
【００３０】
反射体３は、３本の棒状光源ランプ１に挟まれた反射板２の天板部２ａの中央付近内面から下方（反射板の開口側）に向けて突出するように設けられている。この反射体３は６角錐状をなし、その６つの外側面が反射面３ａとなっている。
【００３１】
本体部４は、実施例１と同様の構成を有しており、その下端部外周で外方に突出したリング状の支持部材４ａを天井Ｔの裏面に載置することにより、天井Ｔの裏面にダウンライト１０全体が懸架される。
【００３２】
この実施例においても、反射体３の突出長さが反射板２内の棒状光源ランプ１の突出長さの１／３〜３／４となるように設定する。なお、この実施例のように、棒状光源ランプ１が傾斜して挿入されている場合、その突出長さは垂直方向に沿った突出長さとする。同様に、反射体３の突出長さも垂直方向に沿った突出長さとする。
【００３３】
さらに好ましくは、この実施例においても反射体３の反射面３ａと棒状光源ランプ１の外周面との距離（最短距離）が８ｍｍ以上となるように設定する。
【００３４】
この実施例によっても、先の実施例１と同様に、照明効率を向上させることができる。
【実施例３】
【００３５】
図６は、本発明に係るダウンライトの第３実施例を示す断面図、図７は、図６のダウンライトに使用した反射板を示す斜視図である。
【００３６】
図６に示すダウンライト１０では、２本の棒状光源ランプ１を反射体２の切欠き２ｆから反射体２内に挿入する。
【００３７】
２本の棒状光源ランプ１は、その上端部が反射板２の天板部２ａ近傍に固定され、発光部分は反射板２内に位置している。また、２本の棒状光源ランプ１は、図６に示すように、下方に向かうにしたがって相互の間隔が狭くなるようＶ字状に配置されている。
【００３８】
反射板２は、底面形状（横断面形状）が正１８角形の笠状の１８面体からなり、その内面の反射面は、それぞれ傾斜角度の異なる第１傾斜部２ｂ、第２傾斜部２ｃ及び第３傾斜部２ｄからなる上下３段の傾斜部から形成されている。反射板２の大きさや各傾斜部２ｂ〜２ｄの傾斜角度及び長さは、ダウンライト１０を設置する場所の天井高さや照明範囲などの条件に応じて適宜設定される。なお、反射板２の素材等については実施例１で説明したとおりである。
【００３９】
反射体３は、２本の棒状光源ランプ１に挟まれた反射板２の天板部２ａの中央付近内面から下方（反射板の開口側）に向けて突出するように設けられており、２本の棒状光源ランプ１と対向する両側面が反射面３ａとされている。この両側面の反射面３ａ，３ａは、下方に向かうにしたがって相互の間隔が狭くなるようＶ字状に形成されている。
【００４０】
本体部４は、実施例１と同様の構成を有しており、その下端部外周で外方に突出したリング状の支持部材４ａを天井Ｔの裏面に載置することにより、天井Ｔの裏面にダウンライト１０全体が懸架される。
【００４１】
この実施例においても、反射体３の突出長さが反射板２内の棒状光源ランプ１の突出長さの１／３〜３／４となるように設定する。また、好ましくは、この実施例においても反射体３の反射面３ａと棒状光源ランプ１の外周面との距離（最短距離）ｄ３が８ｍｍ以上となるように設定する。
【００４２】
この実施例によっても、先の実施例１及び２と同様に、照明効率を向上させることができる。
【産業上の利用可能性】
【００４３】
本発明は、天井に取り付けられるダウンライトとしてだけでなく、壁面、床面に取り付ける照明器具としても利用可能である。
【図面の簡単な説明】
【００４４】
【図１】本発明に係るダウンライトの第１実施例を示す断面図である。
【図２】図１のダウンライトに使用した反射板を示す斜視図である。
【図３】棒状光源ランプと反射体の好ましい配置関係を示す説明図である。
【図４】本発明に係るダウンライトの第２実施例を示す断面図である。
【図５】図４のダウンライトに使用した反射板を示す斜視図である。
【図６】本発明に係るダウンライトの第３実施例を示す断面図である。
【図７】図６のダウンライトに使用した反射板を示す斜視図である。
【符号の説明】
【００４５】
１  棒状光源ランプ
２  反射板
２ａ  天板部
２ｂ  第１傾斜部
２ｃ  第２傾斜部
２ｄ  第３傾斜部
２ｅ  第４傾斜部
２ｆ  切欠き
３  反射体
３ａ  反射面
４  本体部
４ａ  支持部材
【図１】
2008171685.tif 000003
【図２】
2008171685.tif 000004
【図３】
2008171685.tif 000005
【図４】
2008171685.tif 000006
【図５】
2008171685.tif 000007
【図６】
2008171685.tif 000008
【図７】
2008171685.tif 000009